(57)【特許請求の範囲】
【請求項１】
手摺案内レール頭部の両縁部に嵌合する湾曲部が両側部に形成され上記手摺案内レール頭部の上面及び両縁部を覆うように該手摺案内レール頭部に被装される移動手摺を、上記手摺案内レール頭部に取り付ける移動手摺装着治具であって、
上記移動手摺装着治具は、
概略Ｌ字状を成し先端に係合突起を有する移動手摺縁案内部と、
上記移動手摺縁案内部の上記係合突部と反対側の端部に接続され該接続位置から上記Ｌ字状の屈曲方向に対して概略直角方向両側に２叉に延びる２本の延長部と、
上記２本の延長部の各々の端部に設けられたハンドルと、
上記移動手摺縁案内部のＬ字の角部から突出して設けられたガイドと
を有し、
上記移動手摺縁案内部の上記係合突部を一側の上記湾曲部の内側に係合させて作用点とし、
上記移動手摺縁案内部の上記Ｌ字状の背面部のうち上記手摺案内レール頭部の縁部に接触する点を支点とし、
上記ハンドルを力点として該ハンドルを回動させることで、上記移動手摺の上記湾曲部を広げるように構成され、
上記移動手摺縁案内部が上記移動手摺及び上記手摺案内レール頭部にセッティングされた際、上記ガイドの先端が手摺案内レール首部の側面に所定の距離を持って近付く
ことを特徴とする移動手摺装着治具。
【請求項２】
手摺案内レール頭部の両縁部に嵌合する湾曲部が両側部に形成され上記手摺案内レール頭部の上面及び両縁部を覆うように該手摺案内レール頭部に被装される移動手摺を、上記手摺案内レール頭部に取り付ける移動手摺装着治具であって、
上記移動手摺装着治具は、
概略Ｌ字状を成し先端に係合突起を有する移動手摺縁案内部と、
上記移動手摺縁案内部の上記係合突部と反対側の端部に接続され該接続位置から上記Ｌ字状の屈曲方向に対して概略直角方向に延びる延長部と、
上記延長部の端部に設けられたハンドルと、
上記移動手摺縁案内部のＬ字の角部から突出して設けられたガイドと
を有し、
上記移動手摺縁案内部の上記係合突部を一側の上記湾曲部の内側に係合させて作用点とし、
上記移動手摺縁案内部の上記Ｌ字状の背面部のうち上記手摺案内レール頭部の縁部に接触する点を支点とし、
上記ハンドルを力点として該ハンドルを回動させることで、上記移動手摺の上記湾曲部を広げるように構成され、
上記移動手摺縁案内部が上記移動手摺及び上記手摺案内レール頭部にセッティングされた際、上記ガイドの先端が手摺案内レール首部の側面に所定の距離を持って近付く
ことを特徴とする移動手摺装着治具。
【請求項３】
上記移動手摺縁案内部が上記移動手摺及び上記手摺案内レール頭部にセッティングされた際、上記ハンドルは、上記移動手摺と概略同じ高さとなる
ことを特徴とする請求項１または２に記載の移動手摺装着治具。
【請求項４】
上記ガイドは、樹脂もしくは木材で作製されている
ことを特徴とする請求項１から３のいずれか１項に記載の移動手摺装着治具。
【発明の詳細な説明】
【０００１】
【発明の属する技術分野】
この発明は、エスカレーターや動く歩道等の移動手摺を手摺案内レール頭部に取り付けるための移動手摺装着治具に関するものである。
【０００２】
【従来の技術】
図５は例えば特開２０００−７２７１号に開示された従来の移動手摺脱着装置を示す斜視図である。また、図６は移動手摺および手摺案内レールを断面として示す移動手摺脱着装置の正面図である。図５及び図６において、１は移動手摺であり、１ａは移動手摺１の縁部である。また、２は手摺案内レールであり、２ｄは手摺案内レール２の頭部、２ａは頭部２ｄの下面、２ｂは頭部２ｄの上面である。さらに、５は移動手摺脱着装置であり、５ａ，５ｃはグリップ、５ｂは移動手摺縁案内部、５ｄは押圧ローラ、５ｅはレール側ローラ、５ｆは本体、５ｇはレール接触部、５ｈは柄である。
【０００３】
次に、従来の移動手摺脱着装置５を用いて移動手摺１を手摺案内レール２に取付ける場合の作業について図５に基づき説明する。同図は移動手摺脱着装置５をエスカレーター手摺に取付けた状態を示す側面図である。同図において、作業者はグリップ５ａを図中矢印Ｄの方向に力を加えつつ、図中矢印Ｅの方向にも力を加える。
【０００４】
こうすれば、まず押圧ローラ５ｄは移動手摺１の上面を下方に押圧しつつ図中矢印Ｅの方向に転動する。さらにレール側ローラ５ｅは手摺案内レール２の頭部２ｄの下面２ａに接しつつ、同じく図中矢印Ｅの取付け方向に転動する。この際、手摺縁案内部５ｂは、未だ手摺案内レール２の頭部２ｄに被装されていない移動手摺１の縁部１ａを手摺案内レール２に対して一定の高さで担持しており、作業者がグリップ５ａを図中矢印Ｅ方向に引くことにより、その取外し状態にある移動手摺１の縁部１ａが順次押圧ローラ５ｄの下側に送り込まれ、該押圧ローラ５ｄによって順次移動手摺１の縁部１ａが手摺案内レール２の頭部２ｄにはめ込まれる。
【０００５】
このような構成の従来の移動手摺脱着装置５においては、手摺案内レール２から移動手摺１を長手方向に連続して容易に取り外し、又は取り付けることができる。
【０００６】
【発明が解決しようとする課題】
しかしながら、このような構成の移動手摺脱着装置５においては、移動手摺１を手摺案内レール２へ押圧する為に必要な構成要素である押圧ローラ５ｄはコストが高く費用対効果が乏しい。さらに、治具のサイズ、重量が大きく、運搬性・取扱性が悪いので問題であった。
【０００７】
また、このような構成の移動手摺脱着装置５の操作においては、グリップ５ａ，５ｃは移動手摺１の上方に位置しており、作業者は、自分の腰位置より高い移動手摺１の更に上方で力を与える必要があり操作性が悪いので問題であった。
【０００８】
さらに、作業者が手摺案内レール２に沿って歩いて作業している際に、移動手摺脱着装置５の手摺縁案内部５ｂが、不慮の事態で移動手摺１から外れると、作業者は、手摺案内レール２から離れる方向に作業体勢が崩れ、作業者が転倒する可能性が高いので問題であった。
【０００９】
また、外れた移動手摺脱着装置５が、手摺案内レール２の側面部に設けられるガラス等の意匠部を傷つける可能性があるので問題であった。
【００１０】
この発明は、上述のような課題を解決するためになされたもので、移動手摺を手摺案内レールに容易に装着することができ、不慮の事態で治具が外れても作業者が不安全な体勢となることがなく、また、意匠部を傷つけることがない移動手摺装着治具を得ることを目的とする。
【００１１】
【課題を解決するための手段】
この発明に係る移動手摺装着治具は、手摺案内レール頭部の両縁部に嵌合する湾曲部が両側部に形成され手摺案内レール頭部の上面及び両縁部を覆うように手摺案内レール頭部に被装される移動手摺を、手摺案内レール頭部に取り付ける移動手摺装着治具であって、移動手摺装着治具は、概略Ｌ字状を成し先端に係合突起を有する移動手摺縁案内部と、移動手摺縁案内部の係合突部と反対側の端部に接続され接続位置からＬ字状の屈曲方向に対して概略直角方向両側に２叉に延びる２本の延長部と、２本の延長部の各々の端部に設けられたハンドルと、移動手摺縁案内部のＬ字の角部から突出して設けられたガイドとを有し、移動手摺縁案内部の係合突部を一側の湾曲部の内側に係合させて作用点とし、移動手摺縁案内部のＬ字状の背面部のうち手摺案内レール頭部の縁部に接触する点を支点とし、ハンドルを力点としてハンドルを回動させることで、移動手摺の湾曲部を広げるように構成され、移動手摺縁案内部が移動手摺及び手摺案内レール頭部にセッティングされた際、ガイドの先端が手摺案内レール首部の側面に所定の距離を持って近付いている。
【００１２】
また、この発明に係る他の移動手摺装着治具は、手摺案内レール頭部の両縁部に嵌合する湾曲部が両側部に形成され手摺案内レール頭部の上面及び両縁部を覆うように手摺案内レール頭部に被装される移動手摺を、手摺案内レール頭部に取り付ける移動手摺装着治具であって、移動手摺装着治具は、概略Ｌ字状を成し先端に係合突起を有する移動手摺縁案内部と、移動手摺縁案内部の係合突部と反対側の端部に接続され接続位置からＬ字状の屈曲方向に対して概略直角方向に延びる延長部と、延長部の端部に設けられたハンドルと、移動手摺縁案内部のＬ字の角部から突出して設けられたガイドとを有し、移動手摺縁案内部の係合突部を一側の湾曲部の内側に係合させて作用点とし、移動手摺縁案内部のＬ字状の背面部のうち手摺案内レール頭部の縁部に接触する点を支点とし、ハンドルを力点としてハンドルを回動させることで、移動手摺の湾曲部を広げるように構成され、移動手摺縁案内部が移動手摺及び手摺案内レール頭部にセッティングされた際、ガイドの先端が手摺案内レール首部の側面に所定の距離を持って近付いている。
【００１３】
また、移動手摺縁案内部が移動手摺及び手摺案内レール頭部にセッティングされた際、ハンドルは、移動手摺と概略同じ高さとなる。
【００１５】
さらに、ガイドは、樹脂もしくは木材で作製されている。
【００１６】
【発明の実施の形態】
実施の形態１．
図１はこの発明の移動手摺装着治具を移動手摺に取り付けた状態を示す斜視図である。図２は同じく移動手摺装着治具を移動手摺に取り付けた状態を示す側面図である。図３は図２のＡ-Ａ線に沿う矢視断面図である。
【００１７】
図１乃至図３において、移動手摺１は、手摺案内レール２の頭部２ｄの両縁部に嵌合する湾曲部を形成する縁部１ａを有する。そして、移動手摺１は、手摺案内レール２の頭部２ｄの上面２ｂ及び両縁部を覆うように手摺案内レール２に被装される。
【００１８】
移動手摺装着治具４は、まず、概略Ｌ字状をなし先端に係合突起４ｅを有する移動手摺縁案内部４ｂを備えている。そしてさらに、移動手摺装着治具４は、移動手摺縁案内部４ｂの係合突部４ｅと反対側の端部に接続され、この接続する位置からＬ字状の屈曲方向と直角方向両側に各々直線状に延びる２本の延長部４ｄを備えている。すなわち、移動手摺装着治具４のＬ字状の屈曲方向を図２の上下方向とすると、２本の延長部４ｄは移動手摺装着治具４との接続部から図２の左右方向に各々直線状に延びている。移動手摺装着治具４は、さらにこの２本の延長部４ｄの各々の端部に接続され移動手摺縁案内部４ｂと反対方向に延びる、すなわち図２の紙面に垂直方向に延びるハンドル４ａを備えている。
【００１９】
移動手摺装着治具４は、また、図３に良く示されるように移動手摺縁案内部４ｂの下部に固着され概略Ｌ字状の角部から突出して設けられたガイド４ｃを備えている。ガイド４ｃは、樹脂もしくは木材等で作製されている。
【００２０】
このように構成された移動手摺装着治具４を用いて移動手摺１を手摺案内レール２に取付ける場合の作業について説明する。
この発明の移動手摺装着治具４は、移動手摺１の一部が手摺案内レール２に装着された状態から使用する。作業者は、まず移動手摺１がすでに装着された部分とまだ装着されてない部分の境付近に移動手摺装着治具４をセッティングする。図１乃至図３に示した状態がこの状態である。
【００２１】
次に、作業者は、両ハンドル４ａを各々の手でつかみ、図２及び図３に示されるように、図中矢印Ｘの方向に加えつつ、図中矢印Ｙの方向にも加える。このように力を加えると、図３で良く示されるように、ハンドル４ａが力点、移動手摺縁案内部４ｂのＬ字状の背面部のうち手摺案内レール２の頭部２ｄの縁部に接触する点を支点（図３の点Ｂ）、移動手摺縁案内部４ｂの先端の係合突部４ｅが作用点となり、Ｘ方向に加えた力によって移動手摺縁案内部４ｄが係合する部分の移動手摺１が作業者側に広がる。このようにして、移動手摺１を手摺案内レール２に容易に装着することができる。
【００２２】
そして、この状態を維持しつつ図２のＹ方向に力を作用させ移動手摺装着治具４を手摺案内レール２に沿ってスライドさせることにより、装着されてない状態の移動手摺１を順次連続的に手摺案内レール２に装着することができる。
【００２３】
この作業において、２つのハンドル４ａは移動手摺縁案内部４ｂに対し、左右両側に所定の距離離れた位置に設けられており、作業者がＸ方向及びＹ方向の力を適切に与えることができる構造とされている。
【００２４】
ガイド４ｃは、樹脂もしくは木材等の柔らかい材料で作製されており、不慮の事態で移動手摺１の縁部１ａから移動手摺縁案内部４ｂが外れた際に、移動手摺装着治具４が下方に滑り落ちエスカレーター意匠部にぶつかり傷つけることを防ぐことができるように設けられている。
【００２５】
ガイド４ｃは、図３に示されるように、移動手摺縁案内部４ｂが移動手摺１及び手摺案内レール２の頭部２ｄにセッティングされた際、先端が手摺案内レール２の首部２ｃの側面に所定の間隙を持って近付く。
【００２６】
ガイド４ｃは、移動手摺縁案内部４ｂの下面に手摺案内レール２に向けて突出するように取付けられており、Ｘ方向に過剰な力が加わった時に手摺案内レール２の首部２ｃに干渉することで、作業者に過剰な力を与えているという注意喚起を与え、かつガイド４ｃが干渉する寸前の位置が、Ｘ方向の力の適正な力であることの目安となるように設けられている。
【００２７】
このような構成の移動手摺装着治具４は、概略Ｌ字状を成し先端に係合突起４ｅを有する移動手摺縁案内部４ｂと、移動手摺縁案内部４ｂの係合突部４ｅと反対側の端部に接続され接続位置からＬ字状の屈曲方向に対して概略直角方向両側に２叉に延びる２本の延長部４ｄと、２本の延長部４ｄの各々の端部に設けられたハンドル４ａとを有し、移動手摺縁案内部４ｂの係合突部４ｅを一側の湾曲部の内側に係合させて作用点とし、移動手摺縁案内部４ｂのＬ字状の背面部のうち手摺案内レール頭部２ｄの縁部に接触する点を支点とし、ハンドル４ａを力点としてハンドル４ａを回動させることで、移動手摺１の湾曲部を広げるように構成されているので、移動手摺を手摺案内レールに容易に装着することができる。
【００２８】
また、この移動手摺装着治具４を用いて行う移動手摺１を手摺案内レール２に連続的に装着する作業においては、ハンドル４ａは作業者の体勢が安定できる手摺案内レール２と同じ高さに位置する。そのため、移動手摺１を手摺案内レール２に装着する為に必要なＸ方向及びＹ方向の力を与えている際に、不慮の事態で縁部１ａから移動手摺縁案内部４ｂが外れても、作業者が不安全な体勢となることがない。また、移動手摺装着治具４は概略左右対称の形状を成しているので治具の操作方向に勝手ができない。
【００２９】
さらにまた、移動手摺装着治具４で移動手摺１を手摺案内レール２に装着する作業において、ガイド４ｃは不慮の事態で縁部１ａから移動手摺縁案内部４ｂが外れた際に、移動手摺装着治具４がエスカレーター意匠部にぶつかり傷つけることを防ぐ。また、Ｘ方向に過剰な力を与えた時に手摺案内レール２の首部２ｃに干渉することで、作業者に過剰な力を与えているという注意喚起を与えることができ、かつガイド４ｃが干渉する寸前の位置が、Ｘ方向の力の適正な力であることの目安となり、縁部１ａおよび頭部２ｄに過剰な力をかけ損傷を与えることを防ぐことができる。
【００３０】
尚、本実施の形態においては、２本の延長部４は、手摺案内レール２に沿ってほぼ直線状に延びているが、これに限るものではない。すなわち、２つのハンドル４ａが移動手摺縁案内部４ｂとほぼ同一平面内に有るように配置されれば良く、２本の延長部４ａは例えば若干湾曲していても良い。また、２本の延長部４ａは直線上に存在しなくても良く、移動手摺縁案内部４ｂを中心として鈍角のＶ字を成しても良い。
【００３１】
また、本実施の形態においては、２つのハンドル４は、移動手摺縁案内部４ｂを中心としてほぼ同じ距離に設けられている。２つのハンドル４から同じ位の力を加えようとすれば、このような配置が望ましいが、必ずしもこれに限ることはなく、例えば、装着する進行方向に大きく力を加えたいときなどは、進行方向側の延長部４ａを長くしても良い。
【００３２】
実施の形態２．
図４はこの発明の移動手摺装着治具の他の例を移動手摺に取り付けた状態を示す斜視図である。本実施の形態の移動手摺装着治具４Ｂは、実施の形態１のハンドル４ａを移動手摺縁案内部４ｂの左右両側ではなく、装着進行方向の片側のみに設けたものである。
その他の構成は実施の形態１と同様である。
【００３３】
このような構成とすることにより、移動手摺装着治具４を使用する際に、方向性において勝手が生じるものの、治具サイズが小さく、重量も軽くなる効果が得られる。
【００３４】
【発明の効果】
この発明に係る移動手摺装着治具は、手摺案内レール頭部の両縁部に嵌合する湾曲部が両側部に形成され手摺案内レール頭部の上面及び両縁部を覆うように手摺案内レール頭部に被装される移動手摺を、手摺案内レール頭部に取り付ける移動手摺装着治具であって、移動手摺装着治具は、概略Ｌ字状を成し先端に係合突起を有する移動手摺縁案内部と、移動手摺縁案内部の係合突部と反対側の端部に接続され接続位置からＬ字状の屈曲方向に対して概略直角方向両側に２叉に延びる２本の延長部と、２本の延長部の各々の端部に設けられたハンドルと、移動手摺縁案内部のＬ字の角部から突出して設けられたガイドとを有し、移動手摺縁案内部の係合突部を一側の湾曲部の内側に係合させて作用点とし、移動手摺縁案内部のＬ字状の背面部のうち手摺案内レール頭部の縁部に接触する点を支点とし、ハンドルを力点としてハンドルを回動させることで、移動手摺の湾曲部を広げるように構成され、移動手摺縁案内部が移動手摺及び手摺案内レール頭部にセッティングされた際、ガイドの先端が手摺案内レール首部の側面に所定の距離を持って近付いている。そのため、少ない力で移動手摺を手摺案内レールに容易に装着することができる。また、不慮の事態で移動手摺の縁部から移動手摺縁案内部が外れても、作業者が不安全な体勢となることがない。また、不慮の事態で移動手摺の縁部から移動手摺縁案内部が外れた際に、移動手摺装着治具がエスカレーター意匠部にぶつかり傷つけることを防ぐことができる。また、過剰な力を与えた時にガイドが手摺案内レールに干渉することで、作業者に過剰な力を与えているという注意喚起を与え、かつガイドが干渉する寸前の位置が、適正な力を加えていることの目安となり、移動手摺の縁部および手摺案内レールの頭部に過剰な力をかけ損傷を与えることを防ぐことができる。
【００３５】
また、この発明に係る他の移動手摺装着治具は、手摺案内レール頭部の両縁部に嵌合する湾曲部が両側部に形成され手摺案内レール頭部の上面及び両縁部を覆うように手摺案内レール頭部に被装される移動手摺を、手摺案内レール頭部に取り付ける移動手摺装着治具であって、移動手摺装着治具は、概略Ｌ字状を成し先端に係合突起を有する移動手摺縁案内部と、移動手摺縁案内部の係合突部と反対側の端部に接続され接続位置からＬ字状の屈曲方向に対して概略直角方向に延びる延長部と、延長部の端部に設けられたハンドルと、移動手摺縁案内部のＬ字の角部から突出して設けられたガイドとを有し、移動手摺縁案内部の係合突部を一側の湾曲部の内側に係合させて作用点とし、移動手摺縁案内部のＬ字状の背面部のうち手摺案内レール頭部の縁部に接触する点を支点とし、ハンドルを力点としてハンドルを回動させることで、移動手摺の湾曲部を広げるように構成され、移動手摺縁案内部が移動手摺及び手摺案内レール頭部にセッティングされた際、ガイドの先端が手摺案内レール首部の側面に所定の距離を持って近付いている。そのため、治具のサイズを小さく、重量を軽くすることができる。また、不慮の事態で移動手摺の縁部から移動手摺縁案内部が外れた際に、移動手摺装着治具がエスカレーター意匠部にぶつかり傷つけることを防ぐことができる。また、過剰な力を与えた時にガイドが手摺案内レールに干渉することで、作業者に過剰な力を与えているという注意喚起を与え、かつガイドが干渉する寸前の位置が、適正な力を加えていることの目安となり、移動手摺の縁部および手摺案内レールの頭部に過剰な力をかけ損傷を与えることを防ぐことができる。
【００３６】
また、移動手摺縁案内部が移動手摺及び手摺案内レール頭部にセッティングされた際、ハンドルは、移動手摺と概略同じ高さとなる。そのため、ハンドルが、作業者の体勢が安定できる移動手摺と同じ高さに位置することとなり、力をかけやすく作業性が向上するとともに、不慮の事態で移動手摺の縁部から移動手摺縁案内部が外れても、作業者が不安全な体勢となることがない。
【００３８】
さらに、ガイドは、樹脂もしくは木材で作製されている。そのため、エスカレーター意匠部にぶつかり傷つけることをさらに防ぐことができる。
【図面の簡単な説明】
【図１】  この発明の実施の形態１の移動手摺装着治具を移動手摺に取り付けた状態を示す斜視図である。
【図２】  実施の形態１の移動手摺装着治具を移動手摺に取り付けた状態を示す側面図である。
【図３】  図２のＡ-Ａ線に沿う矢視断面図である。
【図４】  この発明の実施の形態２の移動手摺装着治具を移動手摺に取り付けた状態を示す斜視図である。
【図５】  従来の移動手摺脱着装置を示す斜視図である。
【図６】  移動手摺および手摺案内レールを断面として示す従来の移動手摺脱着装置の正面図である。
【符号の説明】
１  移動手摺、１ａ  縁部、２  手摺案内レール、２ａ  手摺案内レールの下面、２ｂ  手摺案内レールの上面、２ｃ  手摺案内レールの首部、２ｄ  手摺案内レールの頭部、４  移動手摺脱着装置、４ａ  ハンドル、４ｂ  移動手摺縁案内部、４ｃ  ガイド、４ｄ  延長部、４ｅ  係合突部。
【図１】
0004302911.tif 000002
【図２】
0004302911.tif 000003
【図３】
0004302911.tif 000004
【図４】
0004302911.tif 000005
【図５】
0004302911.tif 000006
【図６】
0004302911.tif 000007